(57)【要約】      （修正有）【課題】配線用通路を有する導光構造および該構造を有する発光パッドを提供する。【解決手段】発光パッドは、土台６００および土台６００に設置される導光構造を含む。導光構造は、導光管１、光源モジュール２、電気使用物３および伝送線路群４を含む。導光管は配線用通路１２が設けられ、２つの位置を有する。光源モジュール２および電気使用物３はそれぞれ２つの位置に設置され、光源モジュール２は送信装置Ｐに電気的に接続される。伝送線路群４は配線用通路１２に貫設され、送信装置Ｐおよび電気使用物３の間を電気的に接続する。これにより、伝送線路群４が露出しない美観的効果、導光管１が伝送線路群４に遮られない効果、発光パッドの平面度を保証することができる効果を達成することができる。【選択図】図３
0003223944.tif 000002
【実用新案登録請求の範囲】
【請求項１】
送信装置Ｐに接続され、さらに
配線用通路１２が設けられる導光管１であって、互いに遠く離れた第１位置１ａおよび少なくとも１つの第２位置１ｂを有し、該配線用通路は該導光管に沿って設けられる導光管１と；
該第１位置に設置され、前記送信装置に電気的に接続される光源モジュール２と；
該少なくとも１つの第２位置に設置される少なくとも１つの電気使用物３と；
該配線用通路内に貫設され、前記送信装置および該少なくとも１つの電気使用物の間を電気的に接続する伝送線路群４と；を含む導光構造１００。
【請求項２】
該導光管は管体１１、少なくとも１つの導光部１３および該配線用通路１２を含み、該少なくとも１つの導光部は該管体に沿って配設され、該配線用通路は該管体に沿って該管体内に設けられる、請求項１に記載の導光構造。
【請求項３】
該導光部は導光通路１３１および導光体１３２を含み、該導光通路は該管体に沿って該管体内に設けられ、該導光体は該導光通路内に設けられる、請求項２に記載の導光構造。
【請求項４】
該導光管１は仕切り板１１１、または中空内管１２、または仕切り板および中空内管により該管体１１、１１ａ、１１ｂ内で該配線用通路１２および該少なくとも１つの導光通路１３１に隔てられる、請求項３に記載の導光構造。
【請求項５】
該光源モジュールおよび該電気使用物がいずれも発光素子２２、３２を含み、該光源モジュールの該発光素子２２および該少なくとも１つの電気使用物の該発光素子３２は、それぞれ該第１位置および該少なくとも１つの第２位置で該導光部１３に対応する、請求項２に記載の導光構造。
【請求項６】
該光源モジュールは第１光源モジュールであり、該電気使用物は第２光源モジュールである、請求項１に記載の導光構造。
【請求項７】
請求項１から６のいずれか１項に記載の導光構造を有する発光パッドであって、送信装置Ｐに接続され、さらに
土台６００と；
該土台に設置される導光構造１００と；を含み、導光構造１００は
配線用通路１２が設けられる導光管１であって、互いに遠く離れた第１位置１ａおよび少なくとも１つの第２位置１ｂを有し、該配線用通路は該導光管に沿って設けられる導光管１と；
該第１位置に設置され、前記送信装置と電気的に接続される光源モジュール２と；
該少なくとも１つの第２位置に設置される少なくとも１つの電気使用物３と；
該配線用通路内に貫設され、前記送信装置および該少なくとも１つの電気使用物の間を電気的に接続する伝送線路群４と；を含む発光パッド。
【請求項８】
該土台は第１固定部品６ａおよび少なくとも１つの第２固定部品６ｂを有し、該第１固定部品は該第１位置に対応し、該少なくとも１つの第２固定部品は該少なくとも１つの第２位置に対応し、該光源モジュールは該第１固定部品に設置され、該少なくとも１つの電気使用物は該少なくとも１つの第２固定部品に設置される、請求項７に記載の発光パッド。
【請求項９】
該土台は切り込み６ｃをさらに有し、該第１固定部品は該切り込みに通じる第１収容部６１を有し、該第２固定部品は該切り込みに通じる第２収容部を有し、該導光管は該切り込みに設置され、該光源モジュールは該第１収容部に収容され、該少なくとも１つの電気使用物は該少なくとも１つの第２収容部に収容される、請求項８に記載の発光パッド。
【請求項１０】
第１パッド体７００をさらに含み、該第１パッド体は該土台の上面に重ねて接続される、請求項７に記載の発光パッド。
【請求項１１】
第２パッド体８００をさらに含み、該第２パッド体は該土台の底面に重ねて接続される、請求項７に記載の発光パッド。
【考案の詳細な説明】
【技術分野】
【０００１】
本考案は導光構造に関し、特に配線用通路を有する導光構造および該構造を有する発光パッドを指す。
【背景技術】
【０００２】
導光ストリップの追加の配線に関して、原因の１つは元からある発光源以外に、さらに追加の電気使用器具を設けなければならないことであり、２つ目は導光距離が長くなることである。
【０００３】
追加の電気使用器具を設けると、追加の電気使用器具および電源の間に外部接続の伝送線路を追加で接続しなければならない。
【０００４】
発光パッドの導光距離が長くなると、元からある単一の発光源が放出する光線は導光ストリップ全体を通過することができず、導光ストリップの導光が及ばない暗部が生成され、発光効果に影響を及ぼす。
【０００５】
したがって、考案者はもう１つの発光源を追加して、もう１つの発光源が放出する光線が、元々導光が及ばない部分を通過するようにし、暗部を除くことに思い至る。
【０００６】
しかしながら、そうすればもう１つの問題に派生する。つまり、元からある発光源と電気的に接続する電源がもう１つの発光源にも電力供給する場合、外部接続の伝送線路を追加で接続しなければならない。
【０００７】
上記２つの原因のどちらに関わらず、一旦外部接続の伝送線路を追加で接続すると、外部接続の伝送線路は導光ストリップの外に露出する。このように外観が美しくない以外に、導光ストリップを遮って光の放出に影響を及ぼす可能性もあり、さらには外部接続の伝送線路の存在により、発光パッドの平面度に影響を及ぼす可能性もある。
【考案の概要】
【考案が解決しようとする課題】
【０００８】
本考案の目的は、導光構造および該構造を有する発光パッドを提供することであり、導光構造は外部接続の伝送線路を導光管の配線用通路内に収容することができる。
【課題を解決するための手段】
【０００９】
上記目的を達成するため、本考案は導光構造を提供し、これは送信装置に接続される。さらに配線用通路が設けられる導光管であって、互いに遠く離れた第１位置および少なくとも１つの第２位置を有し、該配線用通路は該導光管に沿って設けられる導光管と；該第１位置に設置され、前記送信装置と電気的に接続される光源モジュールと；該少なくとも１つの第２位置に設置される少なくとも１つの電気使用物と；該配線用通路内に貫設され、前記送信装置および該少なくとも１つの電気使用物の間を電気的に接続する伝送線路群と；を含む。
【００１０】
本考案は、他に導光構造を有する発光パッドを提供する。これは送信装置と接続され、さらに土台および導光構造を含む。
【００１１】
導光構造は該土台に設置される。さらに配線用通路が設けられる導光管であって、互いに遠く離れた第１位置および少なくとも１つの第２位置を有し、該配線用通路は該導光管に沿って設けられる導光管と；該第１位置に設置され、前記送信装置と電気的に接続される光源モジュールと；該少なくとも１つの第２位置に設置される少なくとも１つの電気使用物と；該配線用通路内に貫設され、前記送信装置および該少なくとも１つの電気使用物の間を電気的に接続する伝送線路群と；を含む。
【考案の効果】
【００１２】
背景技術と比較すると、本考案は以下の効果を有する。伝送線路群は露出せず、外観の美しさを有し、伝送線路群は導光管を遮らず、光を遮らない発光効果を有する。さらに伝送線路群は発光パッドの底面に露出する必要はなく、発光パッドの隣接する２つの構造層の間に挟まれる必要もなく、発光パッドの平面度を保証することができる。
【図面の簡単な説明】
【００１３】
【図１】図１は、本考案の発光パッドの上面概要図である。
【図２】図２は、本考案の発光パッドにおける断面の分解図である。
【図３】図３は、本考案の発光パッドにおける断面の状態図である。
【図４】図４は、本考案の導光管の立体断面図である。
【図５】図５は、本考案の導光管の管体における第１実施例の断面図である。
【図６】図６は、本考案の導光管の管体における第２実施例の断面図である。
【図７】図７は、本考案の導光管の管体における第３実施例の断面図である。
【考案を実施するための形態】
【００１４】
本考案に関する詳細な説明および技術内容について、図を組み合わせて以下のように説明する。しかしながら、図は参考および説明用に提供したに過ぎず、本考案を制限するものではない。
【００１５】
図２から図４に示すように、本考案は導光構造および該構造を有する発光パッドを提供する。本考案の導光構造１００は、送信装置（電気または／および信号を送信することができる）Ｐに接続され、送信装置Ｐは電気または／および信号を導光構造１００に送信する。導光構造１００は、導光管１、光源モジュール２、電気使用物３および伝送線路群４を含む。送信装置Ｐは電源でも、制御装置でもよく、本考案はこれに限定されない。
【００１６】
導光管１は主に配線用通路１２が設けられ、互いに遠く離れた第１位置１ａおよび第２位置１ｂを有する。配線用通路１２は、導光管１に沿って設けられる。第１位置１ａは、好ましくは送信装置Ｐに近く、第２位置１ｂは好ましくは送信装置Ｐから遠く離れる。このほか、導光管１は直線形でも、例えば矩形、多角形、台形、楕円形または円形など各種形状に折り曲げるか、または取り囲んでもよいが、本考案はこれに限定されない。また、導光管１は光ファイバケーブルでよい。
【００１７】
好ましくは、図４に示すように、導光管１は管体１１、配線用通路１２および導光部１３を含む。導光部１３は管体１１に沿って配設され、配線用通路１２は管体１１に沿って管体１１内に設けられる。導光部１３は導光を行い、配線用通路１２は配設された外部接続の伝送線路を収容し、管内に配線する目的を達成する。言い換えると、本考案の導光管１は導光および配線の２つの効果を兼ね備える。このほか、説明しなければならないこととして、管体１１は軸線（図示せず）を定義し、配線用通路１２は軸線に沿って管体１１内に配設される。
【００１８】
このうち、導光部１３は導光通路１３１および導光体１３２を含む。導光通路１３１は管体１１に沿って管体１１内に設けられ、導光体１３２は導光通路１３１内に設けられる。具体的に、導光通路１３１は上記軸線に沿って管体１１内に配設され、導光通路１３１および配線用通路１２は互いに隔たる。
【００１９】
光源モジュール２は第１位置１ａに設置され、電気使用物３は第２位置１ｂに設置され、光源モジュール２および電気使用物３は互いに遠く離れ、図１に示すように互いに遠く離れて相対する。具体的に、光源モジュール２は回路基板２１および回路基板２１と電気的に配設される発光素子２２を含む。電気使用物３は電気を使用する必要があるいかなる物でもよく、好ましくは、電気使用物３はもう１つの光源モジュールでよく、さらに回路基板３１および回路基板３１と電気的に配設される発光素子３２を含む。光源モジュール２は送信装置Ｐに電気的に接続され、送信装置Ｐは電気または／および信号を隣接する光源モジュール２に送信することができる。
【００２０】
伝送線路群４は、数本の外部接続の伝送線路（付番しない）を含む。伝送線路群４は配線用通路１２内に貫設され、伝送線路群４は送信装置Ｐおよび電気使用物３の間を電気的に接続し（例えばブリッジ接続の方式で送信装置Ｐおよび電気使用物３の間を電気的に接続する）、送信装置Ｐは伝送線路群４を介して電気または／および信号を遠くの電気使用物３に伝送することができる。
【００２１】
図３および図１、図２に示すように、光源モジュール２の発光素子２２および電気使用物３の発光素子３２は、それぞれ導光管１の第１位置１ａおよび第２位置１ｂで導光部１３に対応する（図３を参照）。好ましくは、それぞれ導光管１における２つの半分の中心位置でそれぞれ導光する。個別の導光距離を元の半分にし、導光が及ばない部分が無いようにし、導光管１は導光が及ばない暗部を有さない。
【００２２】
図１から図４に示すように、本考案の発光パッドは土台６００および前記導光構造１００を含む。
【００２３】
導光構造１００は土台６００の任意の実行可能な位置に設置され、例えば透明または光透過の土台６００内に埋設される。本実施例では、透明、光透過、または光不透過の土台６００の外表面に嵌設することを例として説明する。土台６００の外表面とは、土台６００の上面、底面、または上面および底面の間を接続する周囲（周囲全体または周囲の任意の少なくとも１辺を含む）でよく、導光構造１００は上面、底面、周囲またはその組合せに設置される。本実施例では、周囲に嵌設することを例として説明する。
【００２４】
土台６００は第１固定部品６ａおよび第２固定部品６ｂを有し、好ましくはさらに切り込み６ｃを有する。このうち、第１固定部品６ａは前記第１位置１ａに対応し、第２固定部品は前記第２位置１ｂに対応する。したがって、前記光源モジュール２は第１固定部品６ａに設置され、電気使用物３は第２固定部品６ｂに設置される。導光管は切り込み６ｃに設置される。
【００２５】
第１固定部品６ａは切り込み６ｃに通じる第１収容部６１をさらに有し、第２固定部品６ｂは切り込み６ｃに通じる第２収容部６２をさらに有する。光源モジュール２は第１収容部６１に収容することができ、電気使用物３は第２収容部６２に収容することができる。
【００２６】
本考案の発光パッドは、好ましくは第１パッド体７００および第２パッド体８００をさらに含む。第１パッド体７００は土台６００の上面に重ねて接続され、第２パッド体８００は土台６００の底面に重ねて接続され、共に組み合わせて３層式の１つの構造体となる。
【００２７】
図５、図６および図７に示すのは、それぞれ前記導光管１の管体１１、１１ａ、１１ｂにおける第１実施例、第２実施例および第３実施例である。
【００２８】
図５に示す第１実施例において、導光管１は仕切り板１１１により管体１１内で前記配線用通路１２および導光通路１３１に隔てられる。
【００２９】
図６に示す第２実施例において、導光管１は中空内管１１２により管体１１ａ内で前記配線用通路１２および導光通路１３１に隔てられる。
【００３０】
図７に示す第３実施例において、導光管１は仕切り板１１１および中空内管１１２により管体１１ｂ内で前記配線用通路１２および２つの導光通路１３１に隔てられる。
【００３１】
図に示さないその他の実施例において、前記第２位置１ｂ、電気使用物３および第２固定部品６ｂは、いずれも少なくとも１つ（すなわち１つ以上）設置することができ、伝送線路群４は少なくとも１つの電気使用物３に電気的に連結される。導光管１の導光部１３については２つ設置することもでき、このとき、発光素子２２および発光素子３２はいずれも２つでなければならない。
【００３２】
前記をまとめると、本考案は背景技術と比較して、主に以下の効果を有する。導光管１内に管体１１、１１ａ、１１ｂに沿って配線用通路１２を設けることにより、伝送線路群４（数本の外部接続の伝送線路を含む）を配線用通路１２内に収容することができ、さらに送信装置Ｐおよび電気使用物３の間を電気的に接続する。これにより伝送線路群４は、１、露出せず（導光管１内に隠れるため）、外観の美しさを有する。２、導光管１を遮らず（導光部１３がある位置の相対する側に収容され、位置制限されるため）、光を遮らない発光効果を有する。３、発光パッドの底面から露出する必要はなく、発光パッドの隣接する２つの構造層の間に挟まれる必要もなく、発光パッドの平面度を保証することができる。
【００３３】
以上の記載は、本考案の好ましい実行可能な実施例に過ぎず、これにより本考案の範囲は制限されない。本考案の明細書および図の内容を利用して行う同等の構造の変更は、いずれも同じ理由で本考案の権利の範囲内に包含される。
【符号の説明】
【００３４】
１００  導光構造
１  導光管
１ａ  第１位置
１ｂ  第２位置
１１、１１ａ、１１ｂ  管体
１１１  仕切り板
１１２  中空内管
１２  配線用通路
１３  導光部
１３１  導光通路
１３２  導光体
２  光源モジュール
２１  回路基板
２２  発光素子
３  電気使用物
３１  回路基板
３２  発光素子
４  伝送線路群
６００  土台
６ａ  第１固定部品
６１  第１収容部
６ｂ  第２固定部品
６２  第２収容部
６ｃ  切り込み
７００  第１パッド体
８００  第２パッド体
Ｐ  送信装置
【図１】
0003223944.tif 000003
【図２】
0003223944.tif 000004
【図３】
0003223944.tif 000005
【図４】
0003223944.tif 000006
【図５】
0003223944.tif 000007
【図６】
0003223944.tif 000008
【図７】
0003223944.tif 000009